(57)【要約】【課題】容易にポータブル機器を着脱できる、使い勝手に優れたポータブル機器固定装置を提供すること。【解決手段】車両用シート９０にポータブル機器Ｐを固定するためのポータブル機器固定装置１であって、車両用シート９０に取り付けられる固定用部材１０、および、ポータブル機器Ｐに取り付けられる被固定用部材２０を備え、前記被固定用部材２０は、前記固定用部材１０に設けられる係合部１１に係合される被係合部２３と、前記固定用部材１０に設けられる面状の接合部に面接触しつつ接合される被接合部と、を有する。【選択図】図４
2012105754.tif 000002
【特許請求の範囲】
【請求項１】
車両用シートにポータブル機器を固定するためのポータブル機器固定装置であって、
車両用シートに取り付けられる固定用部材、および、ポータブル機器に取り付けられる被固定用部材を備え、
前記被固定用部材は、
前記固定用部材に設けられる係合部に係合される被係合部と、
前記固定用部材に設けられる面状の接合部に面接触しつつ接合される被接合部と、
を有することを特徴とするポータブル機器固定装置。
【請求項２】
車両用シートにポータブル機器を固定するためのポータブル機器固定装置であって、
車両用シートに取り付けられる固定用部材、および、ポータブル機器に取り付けられる被固定用部材と、を備え、
前記被固定用部材は、
前記固定用部材の上面に設けられる凹部である係合部に、先端部分が係合される鉤状の被係合部と、
前記固定用部材に設けられる面状の磁石または磁性体を有する接合部に、面接触しつつ磁力によって接合される磁石または磁性体を有する被接合部と、
備えることを特徴とするポータブル機器固定装置。
【請求項３】
前記被接合部には、ポータブル機器と電気的に接続される機器側端子部が設けられ、
前記接合部には、前記被接合部との接合によって前記機器側端子部と接触する、外部機器と電気的に接続されたシート側端子部が設けられていることを特徴とする請求項１または請求項２に記載のポータブル機器固定装置。
【発明の詳細な説明】
【技術分野】
【０００１】
本発明は、小型テレビジョン受像機などのポータブル機器を、車両用シートに固定するために用いられるポータブル機器固定装置に関する。
【背景技術】
【０００２】
例えば、特許文献１に記載されるような、小型テレビジョン受像機などのポータブル機器を自動車内に取り付ける装置が公知である。特許文献１に従来技術として記載される装置（特許文献１の図３、図４に記載の装置）は、ヘッドレストの取付ポールを利用して車両用シートに箱状のケースを取り付け、このケースにポータブル機器を収容するものである。また、特許文献１に一実施例として記載される装置（特許文献１の図１、図２に記載の装置）は、ポータブル機器をヘッドレストの取付ポールに固定し、ヘッドレストとともにポータブルポータブル機器を上下させる構成である。ヘッドレストを下方に移動させると、ポータブル機器はシートバック上端に形成された凹部内に収納される。
【先行技術文献】
【特許文献】
【０００３】
【特許文献１】特開平３−１２８００７号公報
【発明の概要】
【発明が解決しようとする課題】
【０００４】
特許文献１に従来技術として記載される装置は、箱状のケースにポータブル機器を収容する構成であり、ポータブル機器を上下方向にスライドさせて着脱しなければならない。また、特許文献１に一実施例として記載される装置は、ヘッドレストを上方に移動させなければポータブル機器を使用することができない。このように、特許文献１に従来技術として記載される装置ならびに一実施例として記載される装置のいずれも使い勝手が悪いという問題があった。
【０００５】
上記実情に鑑みて、本発明が解決しようとする課題は、容易にポータブル機器を着脱できる、使い勝手に優れたポータブル機器固定装置を提供することにある。
【課題を解決するための手段】
【０００６】
上記課題を解決するために本発明は、車両用シートにポータブル機器を固定するためのポータブル機器固定装置であって、車両用シートに取り付けられる固定用部材、および、ポータブル機器に取り付けられる被固定用部材を備え、前記被固定用部材は、前記固定用部材に設けられる係合部に係合される被係合部と、前記固定用部材に設けられる面状の接合部に面接触しつつ接合される被接合部と、を有することを要旨とする。
【０００７】
また、上記課題を解決するために本発明は、車両用シートにポータブル機器を固定するためのポータブル機器固定装置であって、車両用シートに取り付けられる固定用部材、および、ポータブル機器に取り付けられる被固定用部材と、を備え、前記被固定用部材は、前記固定用部材の上面に設けられる凹部である係合部に、先端部分が係合される鉤状の被係合部と、前記固定用部材に設けられる面状の磁石または磁性体を有する接合部に、面接触しつつ磁力によって接合される磁石または磁性体を有する被接合部と、備えることを要旨とする。
【０００８】
上記本発明にかかるポータブル機器固定装置では、被固定用部材の被係合部および被接合部を、車両用シートに取り付けられる固定用部材の係合部および接合部に対して係合・接合する（係合状態・接合状態を解消する）ことによってポータブル機器を着脱できる。よって、ポータブル機器の着脱操作が容易である。また、被固定用部材の被係合部を固定用部材の係合部に係合させるだけでなく、被接合部を接合部に面接触させつつ接合させてポータブル機器が固定される構成であるため、ポータブル機器が安定した状態で固定される。
【０００９】
そして、係合部および被係合部の具体的な構成としては、係合部を固定用部材の上面に設けられる凹部とし、被係合部を凹部に先端部分が係合される鉤状の構造物とした構成が例示できる。また、接合部および被接合部の具体的な構成としては、磁石または磁性体を用いて磁力によって接合させる構成が例示できる。このように、鉤状の被係合部によってポータブル機器の重さを支えつつ、磁力による接合によってポータブル機器が車両用シートに固定される構成とすれば、ポータブル機器の着脱操作が容易であるとともに、ポータブル機器の固定状態が安定する。
【００１０】
そして、前記被接合部には、ポータブル機器と電気的に接続される機器側端子部が設けられ、前記接合部には、前記被接合部との接合によって前記機器側端子部と接触する、外部機器と電気的に接続されたシート側端子部が設けられていればよい。
【００１１】
かかる構成とすれば、被固定用部材を介して固定用部材にポータブル機器を固定するだけで、ポータブル機器の端子が外部機器と電気的に接続される。例えば、ポータブル機器の端子が電力供給用の端子であり、外部機器が電源装置であれば、ポータブル機器を充電しながらポータブル機器を使用することができる。
【発明の効果】
【００１２】
本発明にかかるポータブル機器固定装置によれば、被固定用部材の被係合部と固定用部材の係合部の係合（係合状態の解消）、および、被固定用部材の被接合部と固定用部材の接合部の接合（接合状態の解消）によってポータブル機器を車両用シートに対して着脱させることができるため、着脱操作が容易である。
【図面の簡単な説明】
【００１３】
【図１】本発明の第一の実施形態にかかるポータブル機器固定装置の外観図であって、固定用部材に対して被固定用部材が装着されておらず、かつ、被固定用部材に対してポータブル機器が固定されていない状態を示した図である。
【図２】本発明の一実施形態にかかるポータブル機器固定装置の外観図であって、ポータブル機器が車両用シートに固定された状態を示したものである。
【図３】本発明の一実施形態にかかるポータブル機器固定装置の断面を模式的に示した図（ハッチングは省略）であって、ポータブル機器が車両用シートに固定されていない（固定用部材に対して被固定用部材が装着されていない）状態を示したものである。
【図４】本発明の一実施形態にかかるポータブル機器固定装置の断面を模式的に示した図（ハッチングは省略）であって、ポータブル機器が車両用シートに固定された状態を示したものである。
【図５】本発明の第二の実施形態にかかるポータブル機器固定装置の概略を説明するための外観図である。
【発明を実施するための形態】
【００１４】
以下、本発明の実施形態について図面を参照しつつ詳細に説明する。なお、以下の説明における上下方向（高さ方向）とは車両用シートの高さ方向をいい、図２、図３における上下方向をいう。。また、前方向とは車両用シートの着座面側であって図２、図３における左方向を、後（背面）方向とはその反対方向であって図２、図３における右方向をいう。また、幅方向とは車両用シートの幅方向をいい、上下方向および左右方向に直交する方向をいう。
【００１５】
まず、第一の実施形態にかかるポータブル機器固定装置１について説明する。ポータブル機器固定装置１は、小型のテレビジョン受像機や、カーナビゲーション装置などのポータブル機器Ｐを車両用シートに固定するための装置であり、車両用シートのシートバック９０の上部に設けられている。ポータブル機器固定装置１は、固定用部材１０と、被固定用部材２０とを備える。
【００１６】
固定用部材１０は、車両用シートのシートバック９０上部に固定されている板状の部材である。固定用部材１０の上面には、所定の大きさに窪んだ凹部１１（係合部）が形成されている。この凹部１１に後述する被固定用部材２０の被係合部２３が係合する。本実施形態では、凹部１１はその両側が開放している。
【００１７】
また、固定用部材１０の後面における下側には、接合部が構築されている。接合部は、平板状の磁石１２およびシート側端子部１３を有する。固定用部材１０の本体部分には、予め磁石１２と同じ大きさの窪みが形成され、かかる窪みに磁石１２が嵌め込まれて固定されている。したがって、固定用部材１０の本体部分の後面と、磁石１２の後面は面一である（両者の境目に段差がない）。磁石１２には貫通孔が形成されており、かかる貫通孔よりシート側端子部１３が露出している。接点であるシート側端子部１３は、シートバック９０内部を通じて、図示されない外部機器（例えば電源装置）と電気的に接続されている。
【００１８】
被固定用部材２０は、上記固定用部材１０に対して着脱自在に構成された部材である。被固定用部材２０は、載置部２１と、支持部２２と、被係合部２３とを有する。載置部２１は、ポータブル機器Ｐが載置される部分である。図示されるように、例えばねじ部材２４などを介してポータブル機器Ｐが載置部２１に固定される。支持部２２は、ポータブル機器Ｐの上下方向（ポータブル機器Ｐの高さ方向）に沿う部分であり、ポータブル機器Ｐの前面（ポータブル機器Ｐがテレビジョン受像機であれば、映像表示面の反対面）に接触してポータブル機器Ｐを支持する。被係合部２３は、支持部２２の上端と連なる鉤状に形成された部分である。その先端は固定用部材１０に形成された凹部１１に係合可能な大きさ（凹部１１に対していわゆるすきまばめとなるような大きさ）に形成されている。また、被係合部２３の下方に突出した部分の長さは、凹部１１の深さと略同じである。
【００１９】
また、支持部２２の前面における下側には、被接合部が構築されている。被接合部は、平板状の磁性体２５（例えば鉄）および機器側端子部２６を有する。支持部２２には予め磁性体２５と同じ大きさの窪みが形成され、かかる窪みに磁性体２５が嵌め込まれて固定されている。したがって、支持部２２の前面と、磁性体２５の前面は面一である（両者の境目に段差がない）。この磁性体２５の大きさは、上記固定用部材１０に設けられた磁石１２と略同じである。また、磁性体２５には貫通孔が形成されており、かかる貫通孔より機器側端子部２６が露出している。接点である機器側端子部２６は、被固定用部材２０の内部を通じてポータブル機器Ｐの端子Ｐｔ（例えば電源端子）と電気的に接続されている。
【００２０】
固定用部材１０に対し、被固定用部材２０は次のように装着される。被固定用部材２０の被係合部２３を、固定用部材１０の凹部１１に係合させる。詳しくは、上述したように固定用部材１０の後面、被固定用部材２０（支持部２２）の前面には段差がないから、固定用部材１０の後面と被固定用部材２０（支持部２２）の前面を摺動させるようにして、被係合部２３の先端を凹部１１に差し入れる。凹部１１の奥まで被係合部２３の先端を差し入れると、固定用部材１０に設けられた磁石１２と、被固定用部材２０に設けられた磁性体２５の高さ方向位置が一致し、両者が磁力によって接合される。これにより、ポータブル機器Ｐは固定用部材１０および被固定用部材２０を介して車両用シートに固定される。
【００２１】
また、これと同時にシート側端子部１３と機器側端子部２６の高さ方向位置が一致するため、両接点が接触する。これにより、ポータブル機器Ｐの端子Ｐｔと図示されない外部機器とが電気的に接続される。ポータブル機器Ｐの端子Ｐｔが電源端子であり、外部機器が電源装置であれば、ポータブル機器Ｐが車両用シートに固定されると同時にポータブル機器Ｐへの電力供給が開始される（ポータブル機器Ｐが電池を有していれば充電が開示される）。このように本実施形態では、磁力によって面接触しつつ接合する箇所、すなわち堅固に密着する箇所に端子部を設けることによって、端子部の電気的な接触の信頼性の向上が図られている。
【００２２】
このような構成を有する本発明の第一の実施形態にかかるポータブル機器固定装置１によれば、固定用部材１０の凹部１１（係合部）への鉤状の被係合部２３の係合、および、接合部（磁石１２）と被接合部（磁性体２５）の磁力による接合によってポータブル機器Ｐが車両用シートに固定される構成であるため、着脱操作が容易である。例えば、ポータブル機器Ｐを取り外すときには、被固定用部材２０ごと取り外すことができる。また、被固定用部材２０の被係合部２３を固定用部材１０の凹部１１（係合部）に係合させるだけでなく、被接合部（磁性体２５）を接合部（磁石１２）に面接触状態で接合させてポータブル機器Ｐが固定される構成であるため、ポータブル機器Ｐが安定した状態で固定される。すなわち、本実施形態にかかるポータブル機器固定装置１では、ポータブル機器Ｐの重さを固定用部材１０の上面に形成される係合部に係合する被係合部２３で支えつつ、磁力による接合によってポータブル機器Ｐが車両用シートに堅固に固定される構成であるため、ポータブル機器Ｐの着脱操作が容易であるとともに、ポータブル機器Ｐの固定状態が安定する。
【００２３】
そして、被接合部には、ポータブル機器Ｐの端子Ｐｔと電気的に接続される機器側端子部２６が設けられており、接合部には、被接合部との接合によって機器側端子部２６と接触するシート側端子部１３が設けられている。よって、被固定用部材２０を介して固定用部材１０にポータブル機器Ｐを固定する、すなわち、磁石１２と磁性体２５とを接合させると、ポータブル機器Ｐの端子Ｐｔが外部機器と電気的に接続される。したがって、例えば、ポータブル機器Ｐの端子Ｐｔが電力供給用の端子であり、外部機器が電源装置であれば、ポータブル機器Ｐへ給電しながら（ポータブル機器Ｐを充電しながら）ポータブル機器Ｐを使用することができる。また、このような端子部は、磁力によって面接触しつつ接合する箇所（堅固に密着する箇所）に設けられているため、電気的接続の信頼性が高い。
【００２４】
次に、本発明の第二の実施形態にかかるポータブル機器固定装置２について説明する。かかるポータブル機器Ｐも、固定用部材３０と、被固定用部材４０とを備える。
【００２５】
固定用部材３０は、車両用シートのシートバック９０上部に固定されているケース状の部材である。図示されるように、固定用部材３０は後方に向けて開放している。固定用部材３０の幅方向に対向する両内側面には、それぞれ、上下方向に並んだ二つの弾性爪部３１（係合部）が形成されている。弾性爪部３１は、その外面が後方に向かって固定用部材３０の内側面に近づくように傾斜した形状となっており、図示されない弾性体によって幅方向内向きに弾性的に沈み込むこと（固定用部材３０の内側面より外側に沈み込むこと）が可能となっている。また、固定用部材３０の内底面には、接合部が構築されている。接合部は、平板状の磁石３２およびシート側端子部３３を有する。磁石３２は、固定用部材３０の内側に嵌め込まれて内底面に接触した状態で固定されている。この磁石３２には貫通孔が形成されており、かかる貫通孔よりシート側端子部３３が露出している。接点であるシート側端子部３３は、シートバック９０内部を通じて、図示されない外部機器（例えば電源装置）と電気的に接続されている。
【００２６】
被固定用部材４０は、上記固定用部材３０に対して着脱自在に構成されたケース状の部材である。ポータブル機器Ｐは、その前面（ポータブル機器Ｐがテレビジョン受像機であれば、映像表示面の反対面）を被固定用部材４０の内底面に接触させ、かつ、その周囲を被固定用部材４０の内側面に接触させた状態で被固定用部材４０の内側に固定される。被固定用部材４０の幅方向に対向する両外側面には、それぞれ、上下方向に並んだ二つの凹部４１（被係合部）が設けられている。
【００２７】
被固定用部材４０の内底面の反対側の面（外底面）には、被接合部が構築されている。被接合部は、平板状の磁性体４２（例えば鉄）および機器側端子部（図示せず）を有する。磁性体４２は被固定用部材４０の外底面と略同じ大きさに形成され、外底面から外側にはみ出さないように固定されている。また、磁性体４２には貫通孔が形成されており、かかる貫通孔より機器側端子部が露出している。接点である機器側端子部は、被固定用部材４０の内部を通じて受端子部４３と電気的に接続されている。受端子部４３は、被固定用部材４０の内底面に設けられた接点であり、ポータブル機器Ｐが被固定用部材４０に固定されると、受端子部４３とポータブル機器Ｐの端子Ｐｔ（例えば電源端子）が電気的に接続される。
【００２８】
固定用部材３０に対し、被固定用部材４０は次のように装着される。固定用部材３０の弾性爪部３１（係合部）を、被固定用部材４０の凹部４１（被係合部）に係合させる。詳しくは、固定用部材３０の開口に対し、真っ直ぐ被固定用部材４０を挿入すると、被固定用部材４０の外側面に押されて弾性爪部３１が外側に弾性変形する。固定用部材３０の奥まで被固定用部材４０を挿入すると、弾性爪部３１の位置と凹部４１の位置が合致し、弾性爪部３１の弾性変形が解除される。すなわち、凹部４１に対して弾性爪部３１が係合する。また、これと同時に固定用部材３０の内底面に設けられた磁石３２に対して、被固定用部材４０の外底面に設けられた磁性体４２が接合する。このようにして、ポータブル機器Ｐは固定用部材３０および被固定用部材４０を介して車両用シートに固定される。
【００２９】
さらに、これと同時にシート側端子部３３と機器側端子部が接触する。これにより、ポータブル機器Ｐの端子Ｐｔと図示されない外部機器とが電気的に接続される。
【００３０】
なお、弾性爪部３１は、図示されない操作部によって外側に弾性変形させることが可能である。かかる操作部によって弾性爪部３１と凹部４１の係合状態を解消すれば、ポータブル機器Ｐを取り外すことができる。
【００３１】
以上の構成を有する本発明の第二の実施形態にかかるポータブル機器固定装置２によれば、上記第一の実施形態にかかるポータブル機器固定装置２と同様の作用効果が奏される。すなわち、固定用部材３０の弾性爪部３１（係合部）と被固定用部材４０の凹部４１（被係合部）の係合、および、接合部（磁石３２）と被接合部（磁性体４２）の磁力による接合によってポータブル機器Ｐが車両用シートに固定される構成であるため、着脱操作が容易である。例えば、ポータブル機器Ｐを取り外すときには、被固定用部材４０ごと取り外すことができる。また、固定用部材３０の弾性爪部３１（係合部）を、被固定用部材４０の凹部４１（被係合部）に係合させるだけでなく、被接合部（磁性体４２）を接合部（磁石３２）に面接触させつつ接合させてポータブル機器Ｐが固定される構成であるため、ポータブル機器Ｐが安定した状態で固定される。
【００３２】
さらに、被接合部には、ポータブル機器Ｐの端子Ｐｔと電気的に接続される機器側端子部が設けられており、接合部には、被接合部との接合によって機器側端子部と接触するシート側端子部３３が設けられている。よって、被固定用部材４０を介して固定用部材３０にポータブル機器Ｐを固定する、すなわち、磁石３２と磁性体４２とを接合させると、ポータブル機器Ｐの端子Ｐｔが外部機器と電気的に接続される。したがって、例えば、ポータブル機器Ｐの端子Ｐｔが電力供給用の端子であり、外部機器が電源装置であれば、ポータブル機器Ｐへ給電しながら（ポータブル機器Ｐを充電しながら）ポータブル機器Ｐを使用することができる。また、このような端子部は、磁力によって面接触しつつ接合する箇所（堅固に密着する箇所）に設けられているため、電気的接続の信頼性が高い。
【００３３】
以上、本発明の実施形態について詳細に説明したが、本発明は上記実施形態に何ら限定されるものではなく、本発明の要旨を逸脱しない範囲で種々の改変が可能である。
【００３４】
例えば、上記実施形態では、ポータブル機器固定装置１、２が、車両用シートのシートバック９０に設けられていることを説明したが、車両用シートのヘッドレストに設けることもできる。
【００３５】
また、上記実施形態では、接合部と被接合部が、磁力によって接合されることを説明したが、これ以外の接合方法を採用してもよい。その他の方法としては、例えば面ファスナーによって接合する方法などが挙げられる。
【符号の説明】
【００３６】
１        ポータブル機器固定装置
１０      固定用部材
１１      凹部（係合部）
１２      磁石
１３      シート側端子部
２０      被固定用部材
２３      被係合部
２５      磁性体
２６      機器側端子部
Ｐ        ポータブル機器
【図１】
2012105754.tif 000003
【図２】
2012105754.tif 000004
【図３】
2012105754.tif 000005
【図４】
2012105754.tif 000006
【図５】
2012105754.tif 000007